(57)【特許請求の範囲】
【請求項１】
それぞれ天板部と側板部とを備えた大小複数の保護カバーが入れ子状に配置され、それぞれの保護カバーがスライドされることにより全体として伸縮自在とされたテレスコピックカバーであって、
上記保護カバーの内で最も小さな保護カバーを除く保護カバーには、複数に分割されたワイパーがそれぞれ着脱可能に取り付けられてなるととともに、上記複数に分割されたワイパーの内の２つは、天板部と側板部との間に形成された円弧状のコーナー部に取り付けられる部位を備えてなることを特徴とするテレスコピックカバー。
【請求項２】
前記複数に分割されたワイパーの一端又は両端には、該ワイパーの長さ方向とは傾斜した傾斜面が形成され、上記複数のワイパー同士は上記傾斜面が互いに当接した状態で保護カバーに取り付けられてなることを特徴とする請求項１記載のテレスコピックカバー。
【請求項３】
前記保護カバーを構成する天板部と側板部とには、前記ワイパーの長さ方向と同じ方向に長さを有する位置決め部材が固定され、前記分割された各ワイパーの背面は、上記位置決め部材の正面に当接してなることを特徴とする請求項１又は２記載の何れかのテレスコピックカバー。
【請求項４】
前記ワイパーは、前記天板部の一部から側板部に亘って取り付けられた第１及び第２のワイパーと、上記天板部にのみ取り付けられた第３のワイパーと、を備え、
上記第３のワイパーの両端には、該第３のワイパーの背面から正面にかけて該第３のワイパーの長さが徐々に短くなるように傾斜面が形成されてなるとともに、上記第１のワイパーと第２のワイパーの端部には、上記第３のワイパーに形成された傾斜面に対応した傾斜面が形成され、これら第３のワイパーの一端に形成された傾斜面と第１のワイパーに形成された傾斜面とが互いに当接されてなるとともに、上記第３のワイパーに形成された傾斜面と上記第２のワイパーに形成された傾斜面とが互いに当接されてなることを特徴とする請求項１，２又は３記載の何れかのテレスコピックカバー。
【請求項５】
前記天板部と側板部との間に形成された円弧状のコーナー部に取り付けられる部位を備えたワイパーは、前記保護カバーに取り付けられる以前の自然形状においては直線状の長さを有してなるとともに、
上記天板部の下面の全部又は一部に接合される第１の接合部と、上記側板部の内側面の全部又は一部に接合される第２の接合部と、上記天板部と側板部との間に形成された円弧状のコーナー部の内側面に接合される第３の接合部と、
これら第１ないし第３の接合部から該各接合部の幅方向に延出され該ワイパーが取り付けられた特定の保護カバーの内側に配置された他の保護カバーを構成する天板部の上面，側板部の外側面，上記コーナー部の外側面に摺接するリップ部と、を有し、
上記リップ部の内で上記第３の接合部から延出された部位には、該リップ部の他の部位の肉厚よりも薄肉とされた第１の薄肉部が形成され、
該第３の接合部には、上記第１及び第２の接合部における肉厚よりも薄肉とされた第２の薄肉部と第３の薄肉部とが該ワイパーの長さ方向に並んで形成されてなり、
上記第１の薄肉部は、それぞれ上記他の保護カバー側から特定の保護カバー側に窪んだ状態で形成されてなり、上記第２及び第３の薄肉部は、上記特定の保護カバー側から他の保護カバー側に窪んだ状態で成形されてなることを特徴とする請求項１，２又は３記載の何れかのテレスコピックカバー。
【請求項６】
前記ワイパーに形成された第１の薄肉部は、前記特定の保護カバーに取り付けられる以前の自然形状においては、中央が最も薄く、この中央から該ワイパーの長さ方向に向かって徐々に肉厚が厚くされてなることを特徴とする請求項５記載のテレスコピックカバー。
【請求項７】
前記特定の保護カバーに取り付けられる以前の自然形状においては、前記第２の薄肉部と第３の薄肉部との間には、前記ワイパーの幅方向に突条部が形成されてなり、この突条部は、該ワイパーに形成されたコーナー部の中央に位置してなることを特徴とする請求項５又は６記載の何れかテレスコピックカバー。
【請求項８】
前記天板部と側板部との間に形成された円弧状のコーナー部に取り付けられる部位を備えたワイパーは、
上記天板部の全部又は一部に接合される第１の接合部と、上記側板部の全部又は一部に接合される第２の接合部と、上記天板部と側板部との間に形成された円弧状のコーナー部に接合され該コーナー部の形状に対応して湾曲してなる第３の接合部と、これら第１ないし第３の接合部から該各接合部の幅方向に延出され前記保護カバーの内側に配置された他の保護カバーを構成する天板部の上面，側板部の外側面，上記コーナー部の外側面に摺接するリップ部と、を有してなることを特徴とする請求項１，２又は３記載の何れかのテレスコピックカバー。
【発明の詳細な説明】
【技術分野】
【０００１】
本発明は、例えば工作機械、三次元測定機等の機械や装置の可動部を伸縮自在な複数個の保護カバーにより覆い、内部の機械構造を保護するために設置されるテレスコピックカバーに関し、特に、複数の保護カバーにそれぞれワイパーが配置されたテレスコピックカバーに関するものである。
【背景技術】
【０００２】
工作機械や三次元測定機には、直線的に駆動する加工ヘッドや測定部等が設けられ、こうした加工ヘッド等の移動範囲にはレール状又は軸状の案内面を備えた可動部が配置され、この可動部の案内面に沿って上記加工ヘッド等が進退移動する構造とされている。しかし、加工の際に生じる金属屑、塵埃、クーラント液等が上記可動部に付着すると、上記加工ヘッド等の精度に支障を来たし、或いは故障の原因となる場合がある。そこで、従来、こうした加工ヘッド等の可動部を金属屑等から保護するために、複数の保護カバーを伸縮自在な入れ子状に配置したテレスコピックカバーが使用されている。
【０００３】
このテレスコピックカバーは、例えば上記工作機械本体に基端側が固定され、先端側を上記加工ヘッド等に固定することにより、上記加工ヘッド等の直線的駆動に伴い伸縮動作を行うものである。ところで、こうしたテレスコピックカバーは、入れ子状に重ねられ互いに対向する一方側と他方側との保護カバーの間には隙間が形成されることから、一方の保護カバーにワイパーを配置し、このワイパーにより上記隙間から工作機械等の可動部へ金属屑等が侵入することを防止するテレスコピックカバーが知られている（特許文献１参照）。
【０００４】
例えば、特許文献１に開示されたテレスコピックカバーを構成する各保護カバーには、単一のワイパーが複数の押さえ板により挟まれた状態で固定されている。
【先行技術文献】
【特許文献】
【０００５】
【特許文献１】特開２００５−２４６４９０号公報
【発明の概要】
【発明が解決しようとする課題】
【０００６】
しかしながら、上述した特許文献１に開示されたテレスコピックカバーを含めて、これまでのテレスコピックカバーでは、ワイパーが単一であることから、該テレスコピックカバーが伸縮を繰り返すことにより、一部が破損した場合であってもワイパー全体を交換せざるを得ない。
【０００７】
そこで、本発明は、上述した従来のテレスコピックカバーが有する課題を解決するために提案されたものであって、ワイパーの一部が破損した場合であっても該ワイパー全体を交換する必要のない新規なテレスコピックカバーを提供することを目的とするものである。
【課題を解決するための手段】
【０００８】
本発明は、上記の課題を解決するために提案されたものであって、第１の発明（請求項１記載の発明）は、それぞれ天板部と側板部とを備えた大小複数の保護カバーが入れ子状に配置され、それぞれの保護カバーがスライドされることにより全体として伸縮自在とされたテレスコピックカバーであって、上記保護カバーの内で最も小さな保護カバーを除く保護カバーには、複数に分割されたワイパーがそれぞれ着脱可能に取り付けられてなるととともに、上記複数に分割されたワイパーの内の２つは、天板部と側板部との間に形成された円弧状のコーナー部に取り付けられる部位を備えてなることを特徴とするものである。
【０００９】
この第１の発明を構成する上記ワイパーは、複数に分割されていることが必要であり、さらに、その分割されたワイパーの内の２つは、天板部と側板部との間に形成された円弧状のコーナー部に取り付けられる部位を備えていることが必要である。上記ワイパーが２つに分割された例を説明すれば、左側板部の全部と天板部の半分に取り付けられるとともに、中途部には、左側のコーナー部に取り付けられる部位を備えた第１のワイパーと、右側板部の全部と天板部の（残り）半分に取り付けられるとともに、中途部には、右側のコーナー部に取り付けられる部位を備えた第２のワイパーとに分割されたものである。また、ワイパーが３つに分割された例を説明すれば、左側板部の全部と天板部の一部に取り付けられるとともに、中途部には、左側のコーナー部に取り付けられる部位を備えた第１のワイパーと、右側板部の全部と天板部の一部に取り付けられるとともに、中途部には、右側のコーナー部に取り付けられる部位を備えた第２のワイパーと、天板部に取り付けられてなる第３のワイパーとに分割されたものである。さらに、５つに分割されたワイパーを説明すると、左側板部の一部に取り付けられた第１のワイパーと、上記左側板部の一部と天板部の一部に取り付けられるとともに、中途部には、左側のコーナー部に取り付けられる部位を備えた第２のワイパーと、右側板部の一部に取り付けられた第３のワイパーと、上記右側板の一部と天板部の一部に取り付けられるとともに、中途部には、右側のコーナー部に取り付けられる部位を備えた第４のワイパーと、天板部のみに取り付けられてなる第５のワイパーとに分割されたものである。
【００１０】
上述した第１の発明に係るテレスコピックカバーによれば、一部のワイパーが破損した場合には、その破損したワイパーのみを交換すれば足り、全てのワイパーを交換する必要はないことから、ワイパーの交換作業を迅速に行うことができるばかりではなく、ワイパーの交換コストも抑制することができる。しかも、この第１の発明に係るテレスコピックカバーでは、上記複数に分割されたワイパーの内の２つは、天板部と側板部との間に形成された円弧状のコーナー部に取り付けられる部位を備えてなり、天板部と側板部とのコーナー部を境界に分割されているものではないことから、該コーナー部においてワイパーと保護カバーとの間に隙間が発生することが防止され、その隙間からテレスコピックカバーの内部に塵埃等が侵入する危険性を有効に回避することができる。
【００１１】
また、第２の発明は、上記第１の発明において、前記複数に分割されたワイパーの一端又は両端には、該ワイパーの長さ方向とは傾斜した傾斜面が形成され、上記複数のワイパー同士は上記傾斜面が互いに当接した状態で保護カバーに取り付けられてなることを特徴とするものである。
【００１２】
この第２の発明では、複数に分割されたワイパーの一端又は両端には、該ワイパーの長さ方向とは傾斜した傾斜面が形成されている。この傾斜面の傾斜角度は、ワイパーの長さ方向（テレスコピックカバーの伸縮方向）に対する角度が９０度である場合を含まない意味であり、鈍角又は鋭角を形成してれば良い。また、こうした傾斜面は、言うまでもなく、上記複数に分割されたワイパーの両端に形成されている必要はない。例えば、前述した上記ワイパーが２つに分割された例を再度引用して説明すれば、この傾斜面は、前記第１のワイパーと第２のワイパーとが当接される側の端部に形成されていれば良いし、また、前記ワイパーが３つに分割された例では、この傾斜面は、前記第１のワイパーの一端と、第２のワイパーの一端と、上記第３のワイパーの両端に形成されていれば良い。
【００１３】
上述した第２の発明によれば、複数に分割されたワイパーの一端又は両端には、該ワイパーの長さ方向とは傾斜した傾斜面が形成され、上記複数のワイパー同士は上記傾斜面が互いに当接した状態で保護カバーに取り付けられてなることから、分割されたワイパー同士が当接した部位から塵埃がテレスコピックカバーの内部に侵入することを防止することができる。
【００１４】
また、第３の発明（請求項３記載の発明）は、上記第１又は第２の発明の何れかにおいて、前記保護カバーを構成する天板部と側板部とには、前記ワイパーの長さ方向と同じ方向に長さを有する位置決め部材が固定され、前記分割された各ワイパーの背面は、上記位置決め部材の正面に当接してなることを特徴とするものである。
【００１５】
上記各位置決め部材の長さや形状は特に限定されるものではないが、天板部に固定された位置決め部材は、該天板部の幅方向の中心に該位置決め部材の中心が位置するように固定されていることが、安定性の上からは好ましく、また該位置決め部材の数も複数固定されていても良い。また、側板部に固定された位置決め部材も各側板部の幅（高さ）方向に長さを有するようそれぞれ固定されていれば良く、その固定位置は該側板部の幅（高さ）方向の中心に該位置決め部材の中心が位置するように固定されていることが好ましい。なお、これら天板部や側板部に固定された各位置決め部材の背面は、テレスコピックカバーが収縮して、これらの位置決め部材が固定された特定の保護カバーの内側に配置された他の保護カバーの先端が当接する当接面とされていても良い。
【００１６】
上述した第３の発明に係るテレスコピックカバーによれば、上述したように、保護カバーを構成する天板部と側板部とには、前記ワイパーの長さ方向と同じ方向に長さを有する位置決め部材が固定され、前記分割された各ワイパーの背面は、上記位置決め部材の正面に当接してなることから、取り付けられたワイパーの全部又は一部が破損し、新たなワイパーを取り付ける際には、該新たなワイパーの背面を上記位置決め部材の正面に当接させることにより、必ず正確な位置に取り付けることができるため、作業者に熟練が要求されることなく、簡単かつ迅速にワイパーを交換することができる。
【００１７】
また、第４の発明（請求項４記載の発明）は、上記第１、第２又は第３の何れかの発明において、前記ワイパーは、前記天板部の一部から側板部に亘って取り付けられた第１及び第２のワイパーと、上記天板部にのみ取り付けられた第３のワイパーと、を備え、上記第３のワイパーの両端には、該第３のワイパーの背面から正面にかけて該第３のワイパーの長さが徐々に短くなるように傾斜面が形成されてなるとともに、上記第１のワイパーと第２のワイパーの端部には、上記第３のワイパーに形成された傾斜面に対応した傾斜面が形成され、これら第３のワイパーの一端に形成された傾斜面と第１のワイパーに形成された傾斜面とが互いに当接されてなるとともに、上記第３のワイパーに形成された傾斜面と上記第２のワイパーに形成された傾斜面とが互いに当接されてなることを特徴とするものである。
【００１８】
上記第４の発明に係るテレスコピックカバーでは、第３のワイパーの両端には、該第３のワイパーの背面から正面にかけて該第３のワイパーの長さが徐々に短くなるように傾斜面が形成されてなるとともに、上記第１のワイパーと第２のワイパーの端部には、上記第３のワイパーに形成された傾斜面に対応した傾斜面が形成され、これら第３のワイパーの一端に形成された傾斜面と第１のワイパーに形成された傾斜面とが互いに当接されてなるとともに、上記第３のワイパーに形成された傾斜面と上記第２のワイパーに形成された傾斜面とが互いに当接されてなることから、この第４の発明によれば、保護カバーに対して分割された各ワイパーを取り付ける場合、先ず、上記第３のワイパーを取り付け、次いで、上記第１のワイパーや第２のワイパーを取り付けることができる。すなわち、上記第１のワイパーや第２のワイパーを取り付けた後に、第３のワイパーを取り付けるのではなく、第３のワイパーの取付作業を最初に行うこととなる。そして、こうした取付方法（順序）を採用することにより、天板部と側板部との間に形成された円弧状のコーナー部に取り付けられる部位を備えた第１及び第２のワイパーをより高精度に取り付けることができる。換言すれば、こうした第１及び第２のワイパーの取付精度如何により、該ワイパーが取り付けられた特定の保護カバーに形成された円弧状のコーナー部と（第１及び第２の）ワイパーの円弧状のコーナー部との間に隙間が発生し、又は、該ワイパーが取り付けられた特定の保護カバーの内側に配置された他の保護カバーに形成された円弧状のコーナー部と（第１及び第２の）ワイパーとの間に隙間が発生してしまう場合があり、極めて微妙な位置決め作業が要求されるところ、上述した取付手順が決定されるこの第４の発明によれば、予め取り付けられた第３のワイパーの端部により、第１のワイパーや第２のワイパーの端部は規制され、更に位置決め部材が固定された上記第３の発明との関係では、それぞれの位置決め部材により第１のワイパーや第２のワイパーは、それぞれ背面において該位置決め部材により位置決めされることから、該第１のワイパーや第２のワイパーを新規に取り付ける場合は勿論、交換作業により取り付ける場合も、より高精度に取り付けることが可能となる。しかも、この第４の発明に係るテレスコピックカバーによれば、上記第３のワイパーの一端と第１のワイパーの端部との間や、該第３のワイパーの他端と第２のワイパーの端部との間から塵埃や切り粉或いはクーラント液等がテレスコピックカバーの内部に侵入することも防止できる。
【００１９】
また、第５の発明（請求項５記載の発明）は、上記第１ないし第３の発明の何れかにおいて、前記天板部と側板部との間に形成された円弧状のコーナー部に取り付けられる部位を備えたワイパーは、前記保護カバーに取り付けられる以前の自然形状においては直線状の長さを有してなるとともに、上記天板部の下面の全部又は一部に接合される第１の接合部と、上記側板部の内側面の全部又は一部に接合される第２の接合部と、上記天板部と側板部との間に形成された円弧状のコーナー部の内側面に接合される第３の接合部と、これら第１ないし第３の接合部から該各接合部の幅方向に延出され該ワイパーが取り付けられた特定の保護カバーの内側に配置された他の保護カバーを構成する天板部の上面，側板部の外側面，上記コーナー部の外側面に摺接するリップ部と、を有し、上記リップ部の内で上記第３の接合部から延出された部位には、該リップ部の他の部位の肉厚よりも薄肉とされた第１の薄肉部が形成され、該第３の接合部には、上記第１及び第２の接合部における肉厚よりも薄肉とされた第２の薄肉部と第３の薄肉部とが該ワイパーの長さ方向に並んで形成されてなり、上記第１の薄肉部は、それぞれ上記他の保護カバー側から特定の保護カバー側に窪んだ状態で形成されてなり、上記第２及び第３の薄肉部は、上記特定の保護カバー側から他の保護カバー側に窪んだ状態で成形されてなることを特徴とするものである。
【００２０】
上記第５の発明では、前記天板部と側板部との間に形成された円弧状のコーナー部に取り付けられる部位を備えたワイパーは、上述した構成を備えてなることから、該ワイパーが取り付けられた特定の保護カバーに形成された円弧状のコーナー部の内側面とワイパーの外側面とが隙間が生ずることなく密着し、また、このワイパーが取り付けられた特定の保護カバーの内側に配置された他の保護カバーに形成された円弧状のコーナー部の外側面と該ワイパーのリップ部との間で隙間が生ずることなく圧接・摺接されることとなり、より一層このテレスコピックカバーの内側に塵埃等が侵入する危険性を防止することができる。
【００２１】
この点を更に詳細に説明すると、このワイパーが特定の保護カバーに取り付けられた状態では、上記第３の取付部においては、上記第２の薄肉部と第３の薄肉部との間が上記特定の保護カバーのコーナー部の中心（中央）に位置した状態となり、該第２の薄肉部と第３の薄肉部が形成された位置で主に折曲されることから、ワイパー自体の強度を上げるために或る程度の硬さを有する素材（樹脂やゴム等）を使用した場合であっても、上記特定の保護カバーのコーナー部の内側（湾曲面）に対応して折曲される。また、このように折曲されたワイパーを構成するリップ部には、上記第１の薄肉部が形成されていることから、この第１の薄肉部においても他の部位と比較して大きく折曲・湾曲され、この結果、特定の保護カバーの内側に配置された他の保護カバーのコーナー部の外側（湾曲面）に対応した形状となる。換言すれば、このテレスコピックカバーに取り付けられたワイパーは、上記第１ないし第３の薄肉部が形成されていることから、該ワイパーが取り付けられた特定の保護カバーのコーナー部の内側形状ばかりか、この保護カバーの内側に配置された他の保護カバーのコーナー部の外側形状にも馴染んで折曲され、この結果、該テレスコピックカバーの内側に塵埃等が侵入することを有効に防止できる。しかも、上記第１の薄肉部は、前述した通り、それぞれ上記他の保護カバー側から特定の保護カバー側に窪んだ状態で形成され、第２及び第３の薄肉部は、特定の保護カバー側から他の保護カバー側に窪んだ状態で形成されており、それぞれの薄肉部が両側から窪んでなるものではないことから、該ワイパーが取り付けられた保護カバーとの間に隙間が生ずることもない。
【００２２】
なお、上記ワイパー単体として評価した場合には、上記構成を備えることにより、間に形成された円弧状のコーナー部を挟んで連続する天板部と側板部との角度が異なる保護カバーであっても、それぞれの保護カバーに対して単一のワイパーを取り付けることが可能となり、上記角度に応じて複数のワイパーを別個に製造する必要がなく、汎用性を高めることができる。この点を更に詳述すると、個々の保護カバーを構成する天板部と側板とは、一枚の金属板を曲げ加工することにより該天板部と側板部とをそれぞれ形成する方法（以下、第１の方法）や、幅の狭い金属板を曲げ加工し、該曲げ加工された金属板の一側端に天板の端縁を溶接し、他方の側の端部に側板の端縁を溶接する方法（第２の方法）が採用されているが、上述したように単一のワイパーを個々の保護カバーに固定した場合には、該ワイパーを固定した個々の保護カバーのコーナー部（内側の部位）とワイパーとの間に隙間が生じたり、該ワイパーを固定した保護カバーの内側に配置された他の保護カバーのコーナー部（外側の部位）との間に隙間が発生したりし、これらの隙間からテレスコピックカバーの内側に塵埃や切り粉或いはクーラント液等が侵入する危険性が高い。例えば、上記保護カバーが上記第１の方法で成形されている場合には、ワイパーが固定された保護カバーのコーナー部の内側は、所定の曲率により円弧状とされていることから、曲げられたワイパーの外側の曲率は、上記コーナー部の曲率に対応した曲率となるように折曲されなければならないだけではなく、該折曲されたワイパーの内側は、上記保護カバーの内側に配置された他の保護カバーのコーナー部の外側の曲率に対応した曲率とされなければ、何れかの保護カバーとワイパーとの間に隙間が生じることとなる。このことは、上記第２の方法により保護カバーを成形する場合も同様である。また、天板部と左右の側板部との角度に関しても、装着される工作機械等の構造や機能に応じて様々であり、必ずしも同じ角度であると限らない。したがって、上記第５の発明を構成するワイパーを単体として評価した場合には、保護カバーの（外側と内側の）コーナー部の曲率に対応して折曲することができ、１つのワイパーにより角度が異なる各種の保護カバーに取り付けることができる。
【００２３】
また、第６の発明（請求項６記載の発明）は、上記第５の発明において、前記ワイパーに形成された第１の薄肉部は、前記特定の保護カバーに取り付けられる以前の自然形状においては、中央が最も薄く、この中央から該ワイパーの長さ方向に向かって徐々に肉厚が厚くされてなることを特徴とするものである。
【００２４】
この第６の発明に係るテレスコピックカバーでは、前記ワイパーに形成された第１の薄肉部は、前記特定の保護カバーに取り付けられる以前の自然形状においては、中央が最も薄く、この中央から該ワイパーの長さ方向に向かって徐々に肉厚が厚くされてなることから、より一層該ワイパーが取り付けられた特定の保護カバーの内側に配置された他の保護カバーのコーナー部の形状に対応した形状に倣って撓み（変形し）、該他の保護カバーとの間に隙間が発生することを防止することができる。
【００２５】
また、第７の発明（請求項７記載の発明）は、上記第５又は第６の何れかの発明において、前記特定の保護カバーに取り付けられる以前の自然形状においては、前記第２の薄肉部と第３の薄肉部との間には、前記ワイパーの幅方向に突条部が形成されてなり、この突条部は、該ワイパーに形成されたコーナー部の中央に位置してなることを特徴とするものである。
【００２６】
この第７の発明では、特定の保護カバーに取り付けられる以前の自然形状においては、前記第２の薄肉部と第３の薄肉部との間には、前記ワイパーの幅方向に突条部が形成されてなり、この突条部は、該ワイパーに形成されたコーナー部の中央に位置してなることから、該突条部が形成された部位における剛性が高まり、該特定の保護カバーのコーナー部と該ワイパーとの間に隙間が発生することをさらに防止することができる。
【００２７】
また、第８の発明（請求項８記載の発明）は、上記第１ないし第３の発明の何れかにおいて、前記天板部と側板部との間に形成された円弧状のコーナー部に取り付けられる部位を備えたワイパーは、上記天板部の全部又は一部に接合される第１の接合部と、上記側板部の全部又は一部に接合される第２の接合部と、上記天板部と側板部との間に形成された円弧状のコーナー部に接合され該コーナー部の形状に対応して湾曲してなる第３の接合部と、これら第１ないし第３の接合部から該各接合部の幅方向に延出され前記保護カバーの内側に配置された他の保護カバーを構成する天板部の上面，側板部の外側面，上記コーナー部の外側面に摺接するリップ部と、を有してなることを特徴とするものである。
【００２８】
この第８の発明では、前記天板部と側板部との間に形成された円弧状のコーナー部に取り付けられる部位を備えたワイパーは、上述した構成を備え、特に、第３の接合部は、上記天板部と側板部との間に形成された円弧状のコーナー部の形状に対応して湾曲してなることから、該ワイパーが取り付けられた特定の保護カバーと該ワイパーとの間に隙間が発生することを防止することができる。また、上記ワイパーに使用する樹脂又はゴム等の可撓性を有する素材の硬度ないし撓み量によっては、天板部と側板部との角度が多少異なる場合であっても取り付けることが可能となる。
【発明の効果】
【００２９】
上記第１の発明（請求項１記載の発明）に係るテレスコピックカバーによれば、一部のワイパーが破損した場合には、その破損したワイパーのみを交換すれば足り、全てのワイパーを交換する必要はないことから、ワイパーの交換作業を迅速に行うことができるばかりではなく、ワイパーの交換コストも抑制することができる。しかも、この第１の発明に係るテレスコピックカバーでは、上記複数に分割されたワイパーの内の２つは、天板部と側板部との間に形成された円弧状のコーナー部に取り付けられる部位を備えてなり、天板部と側板部とのコーナー部を境界に分割されているものではないことから、該コーナー部においてワイパーと保護カバーとの間に隙間が発生することが防止され、その隙間からテレスコピックカバーの内部に塵埃等が侵入する危険性を有効に回避することができる。
【００３０】
また、上記第２の発明（請求項２記載の発明）では、複数に分割されたワイパーの一端又は両端には、該ワイパーの長さ方向とは傾斜した傾斜面が形成され、上記複数のワイパー同士は上記傾斜面が互いに当接した状態で保護カバーに取り付けられてなることから、分割されたワイパー同士が当接した部位から塵埃がテレスコピックカバーの内部に侵入することを防止することができる。
【００３１】
また、上記第３の発明（請求項３記載の発明）によれば、上述したように、保護カバーを構成する天板部と側板部とには、前記ワイパーの長さ方向と同じ方向に長さを有する位置決め部材が固定され、前記分割された各ワイパーの背面は、上記位置決め部材の正面に当接してなることから、取り付けられたワイパーの全部又は一部が破損し、新たなワイパーを取り付ける際には、該新たなワイパーの背面を上記位置決め部材の正面に当接させることにより、必ず正確な位置に取り付けることができるため、作業者に熟練が要求されることなく、簡単かつ迅速にワイパーを交換することができる。また、この第３の発明によれば、上記位置決め部材が固定されていることから、入れ子状に配置された各保護カバーを分解することなく、そのままの状態でワイパーを交換することができる。すなわち、この第３の発明によれば、各ワイパーを取り外して新たなワイパーを取り付ける場合、特定の保護カバーとこの特定の保護カバーの内側に配置された他の保護カバーとの間に、新たなワイパーの背面側を挿入させると、該ワイパーの背面が上記特定の保護カバーに固定された位置決め部材に当接し位置決めされる。この位置決めされた状態におけるワイパーを、ネジ等の所定の固定手段により固定すれば良い。
【００３２】
また、上記第４の発明（請求項４記載の発明）によれば、天板部と側板部との間に形成された円弧状のコーナー部に取り付けられる部位を備えた第１及び第２のワイパーをより高精度に取り付けることができる。換言すれば、こうした第１及び第２のワイパーの取付精度如何により、該ワイパーが取り付けられた特定の保護カバーに形成された円弧状のコーナー部と（第１及び第２の）ワイパーの円弧状のコーナー部との間に隙間が発生し、又は、該ワイパーが取り付けられた特定の保護カバーの内側に配置された他の保護カバーに形成された円弧状のコーナー部と（第１及び第２の）ワイパーとの間に隙間が発生してしまう場合があり、極めて微妙な位置決め作業が要求されるところ、上述した取付手順が決定されるこの第４の発明によれば、予め取り付けられた第３のワイパーの端部により、第１のワイパーや第２のワイパーの端部は規制され、更に位置決め部材が固定された上記第３の発明との関係では、それぞれの位置決め部材により第１のワイパーや第２のワイパーは、それぞれ背面において該位置決め部材により位置決めされることから、該第１のワイパーや第２のワイパーを新規に取り付ける場合は勿論、交換作業により取り付ける場合も、より高精度に取り付けることが可能となる。しかも、この第４の発明に係るテレスコピックカバーによれば、上記第３のワイパーの一端と第１のワイパーの端部との間や、該第３のワイパーの他端と第２のワイパーの端部との間から塵埃や切り粉等がテレスコピックカバーの内部に侵入することも防止できる。
【００３３】
また、上記第５の発明（請求項５記載の発明）では、前記天板部と側板部との間に形成された円弧状のコーナー部に取り付けられる部位を備えたワイパーは、上述した構成を備えてなることから、該ワイパーが取り付けられた特定の保護カバーに形成された円弧状のコーナー部の内側面とワイパーの外側面とが隙間が生ずることなく密着し、また、このワイパーが取り付けられた特定の保護カバーの内側に配置された他の保護カバーに形成された円弧状のコーナー部の外側面と該ワイパーのリップ部との間で隙間が生ずることなく密着（圧接・接合）されることとなり、より一層このテレスコピックカバーの内側に塵埃等が侵入する危険性を防止することができる。
【００３４】
また、上記第６の発明（請求項６記載の発明）では、前記ワイパーに形成された第１の薄肉部は、中央が最も薄く、この中央から該ワイパーの長さ方向に向かって徐々に肉厚が厚くされてなることから、より一層該ワイパーが取り付けられた特定の保護カバーの内側に配置された他の保護カバーのコーナー部の形状に対応した形状に倣って撓み（変形し）、該他の保護カバーとの間に隙間が発生することを防止することができる。
【００３５】
また、上記第７の発明（請求項７記載の発明）では、特定の保護カバーに取り付けられる以前の自然形状においては、前記第２の薄肉部と第３の薄肉部との間には、前記ワイパーの幅方向に突条部が形成されてなり、この突条部は、該ワイパーに形成されたコーナー部の中央に位置してなることから、該突条部が形成された部位における剛性が高まり、該特定の保護カバーのコーナー部と該ワイパーとの間に隙間が発生することをさらに防止することができる。
【００３６】
また、上記第８の発明（請求項３記載の発明）では、前記天板部と側板部との間に形成された円弧状のコーナー部に取り付けられる部位を備えたワイパーは、上述した構成を備え、特に、第３の取付部は、上記天板部と側板部との間に形成された円弧状のコーナー部の形状に対応して湾曲してなることから、該ワイパーが取り付けられた特定の保護カバーと該ワイパーとの間に隙間が発生することを防止することができる。
【図面の簡単な説明】
【００３７】
【図１】テレスコピックカバーの正面図である。
【図２】図１に示すテレスコピックカバーの右側面図である。
【図３】図１に示すテレスコピックカバーを構成する第２の保護カバーから第１ないし第３のワイパーを分解した状態を示す分解斜視図である。
【図４】第２の保護カバーと第１ないし第３のワイパーを該第２の保護カバーの裏側から示す分解斜視図である。
【図５】５つに分割されたワイパーが取り付けられた保護カバーを示す斜視図である。
【図６】図５に示す保護カバーを裏面側から示す斜視図である。
【図７】５つに分割されたワイパーを示す斜視図である。
【図８】他のワイパーを示す平面図である。
【図９】図８に示す他のワイパーの背面図である。
【図１０】図８に示す他のワイパーの底面図である。
【図１１】図９に示す他のワイパーのＡ−Ａ線断面図である。
【図１２】図９に示す他のワイパーのＢ−Ｂ線断面図である。
【図１３】図８に示す他のワイパーを各保護カバーに取り付けたテレスコピックカバーの一部を示す正面図である。
【図１４】図１３に示すテレスコピックカバーの断面図である。
【符号の説明】
【００３８】
１  テレスコピックカバー
２，３，４  第１ないし第３の保護カバー
２ａ，３ａ，４ａ，  天板部
２ｂ，３ｂ，４ｂ，  左側板部
２ｃ，３ｃ，４ｃ，  右側板部
２ｆ，３ｆ，４ｆ  （左側の）コーナー部
２ｇ，３ｇ，４ｇ  （右側の）コーナー部
７・・・９  第１ないし第３の位置決め部材
１１・・・１３  第１ないし第３のワイパー
１５ａ，１９ａ，２２ａ  リップ部
１５，１９，２２  ワイパー本体
１５ｅ，１９ｅ，２２ｅ，２２ｆ  傾斜面
３１・・・３５  第１ないし第５のワイパー
３６，３９，４１，４４，４６  ワイパー本体
３６ａ，３９ａ，４１ａ，４４ａ，４６ａ  リップ部
３６ｅ，３６ｆ，３９ｅ，４１ｅ，４１ｆ，４４ｅ，４４ｆ，４６ｅ，４６ｆ  傾斜面
５１  ワイパー
５２  ワイパー本体
５２ａ  リップ部
５２ｂ・・・５２ｄ  第１ないし第３の接合部
５２ｅ  第１の薄肉部
５２ｆ  第２の薄肉部
５２ｇ  第３の薄肉部
５２ｈ  突条部
【発明を実施するための形態】
【００３９】
以下、本発明を実施するための最良の形態に係るテレスコピックカバー１を、図面を参照しながら詳細に説明する。なお、この実施の形態に係るテレスコピックカバー１は、図示しない工作機械に固定されるものである。
【００４０】
この実施の形態に係るテレスコピックカバー１は、鉄を素材とするものであり、図１に示すように、それぞれ入れ子状に配置された第１ないし第３の保護カバー２，３，４を備えている。これら第１ないし第３の保護カバー２，３，４は、それぞれ相似形状をなし、上記第１の保護カバー２は、最も大型の保護カバーであり、第２の保護カバー３はこれよりも小型であり、第３の保護カバー４は、最も小型の保護カバーであって、上記第１の保護カバー２の内側に第２の保護カバー３が配置され、この第２の保護カバー３の内側に第３の保護カバー４が配置されている。そして、上記第１ないし第３の保護カバー２，３，４は、それぞれ天板部２ａ，３ａ，４ａと、左側板部２ｂ，３ｂ，４ｂと、右側板部２ｃ，３ｃ，４ｃと、を備えている。なお、この実施の形態に係るテレスコピックカバー１では、上記天板部２ａ，３ａ，４ａは、平板状に成形され、また、上記左側板部２ｂ，３ｂ，４ｂの下端には、内側に折曲された左折曲板部２ｄ，３ｄ，４ｄが形成され、上記右側板部２ｃ，３ｃ，４ｃの下端には、内側に折曲された右折曲板部２ｅ，３ｅ，４ｅが形成されている。また、上記各天板部２ａ，３ａ，４ａと左側板部２ｂ，３ｂ，４ｂとの間には、これらを折曲した際に成形された円弧状の（左）コーナー部２ｆ，３ｆ，４ｆが形成され、同様に、各天板部２ａ，３ａ，４ａと上記右側板部２ｃ，３ｃ，４ｃとの間には、これらを折曲した際に成形された円弧状の（右）コーナー部２ｇ，３ｇ，４ｇが形成されている。
【００４１】
そして、上記第１の保護カバー２の背面には、図１及び図２にそれぞれ示すように、基端固定板５が固定され、また、上記第３の保護カバー４の正面には、図１に示すように、正面側固定板６が固定されている。上記正面固定板６は、図示しない工作機械本体に固定される部位であり、上記基端固定板５は、上記工作機械本体から離間し接近駆動する図示しない加工ヘッドに固定される部位である。したがって、上記工作機械を構成する図示しない駆動装置の駆動により、上記加工ヘッドが駆動すると、この加工ヘッドの動作に追従してこのテレスコピックカバー１が伸縮動作する。
【００４２】
そして、このテレスコピックカバー１では、上記第１の保護カバー２と第２の保護カバー３とには、それぞれ第１ないし第３の位置決め部材（第２の位置決め部材は図示しない）７，９と、第１ないし第３のワイパーが着脱自在に取り付けられている。そこで、以下、これら第１ないし第３の位置決め部材７，９及び第１ないし第３のワイパー１１，１２，１３が取り付けられた第２の保護カバー３について（本発明を構成するワイパーが３つに分割されている例について）、図３及び図４を参照しながら詳細に説明する。
【００４３】
図３及び図４は、何れも上記第２の保護カバー３の分解斜視図であり、図３は、平面側から示すものであり、図４は底面側から示すものである。この図３又は図４に示すように、上記第２の保護カバー３の天板部３ａには、後述する第３の位置決め部材９を固定する図示しないネジが挿通される３つのネジ穴３ｈ（図３参照）がそれぞれ穿設され、これらのネジ穴３ｈが形成された位置よりも該天板部３ａの先端側には、全部で７つのネジ穴３ｉ・・・３ｏが天板部３ａの幅方向に並んで穿設されている。上記天板部３ａに形成されたネジ穴３ｉ，３ｊは、それぞれ後述する第１のワイパー１１を固定する図示しないネジが挿通されるものであり、３つのネジ穴３ｋ，３ｌ，３ｍは、それぞれ後述する第３のワイパー１３を固定する図示しないネジが挿通されるものであり、上記ネジ穴３ｎ，３ｏは、それぞれ後述する第２のワイパー１２を固定する図示しないネジが挿通されるものである。また、上記左側板部３ｂには、後述する第１の位置決め部材７を固定する図示しないネジが挿通される２つの図示しないネジ穴が穿設され、これらのネジ穴の穿設位置よりも該左側板３ｂの先端側には、３つのネジ穴３ｐ（図３参照）が穿設されている、これらのネジ穴３ｐは、上記第１のワイパー１１を固定する図示しないネジが挿通される部位である。一方、上記右側板部３ｃには、図示しない第２の位置決め部材を固定する図示しないネジが挿通される２つのネジ穴３ｑが穿設され、これらのネジ穴３ｑの先端側には、第２のワイパー１２を固定する図示しないネジが挿通される３つのネジ穴３ｒが穿設されている。
【００４４】
そして、上記第２の保護カバー３を構成する左側板部３ｂの内側面であって先端側中途部には、該左側板部３ｂの高さ方向と同じ方向に長さを有する第１の位置決め部材７（図３参照）が固定され、また、上記右側板部３ｃの内側面であって先端側中途部には、該右側板部３ｃの高さ方向と同じ方向に長さを有する図示しない第２の位置決め部材が固定され、また、上記天板部３ａの内側面には、該天板部３ａの幅方向に長さを有する第３の位置決め部材９（図４参照）が固定されている。なお、上記第１ないし第３の位置決め部材７，９は、何れも鉄などの金属又はゴム若しくは樹脂により長方形状に成形されてなるものであり、それぞれ上記ネジが螺着されるネジ穴７ａ，９ａが形成されている。また、上記天板部３ａに固定された第３の位置決め部材９は、図４に示すように、正面側は平面とされてなる一方、背面側の左右両側にはそれぞれ４つの凹部９ｂ・・・９ｅが形成されている。
【００４５】
そして、この実施の形態に係るテレスコピックカバー１では、上記第３の位置決め部材９の背面には、図４に示すように、ゴム又は軟質樹脂により一体成形されたストッパー１０が装着されている（図４参照）。このストッパー１０は、この第２の保護カバー３の内側に配置された第３の保護カバー４が所定量以上、該第２の保護カバー３よりも前方に突出することを規制するためのものである。したがって、上記第３の保護カバー４を構成する天板部４ａには、このストッパー１０に当接する図示しない当接部が形成されている。そして、このストッパー１０の正面には、上記第３の位置決め部材９の背面に形成された凹部９ｂ・・・９ｅに嵌合してなる凸部１０ａ・・・１０ｄが形成されてなる一方、背面には、この第２の保護カバー３の内側に配置された第３の保護カバー４に形成された図示しない当接部が当接する５つ（複数）の当接用凸部１０ｅが形成されている。なお、これらの当接用凸部１０ｅは、それぞれ該ストッパー１０の背面からさらに後ろ側に円弧状に膨出してなるものであり、こうした形状とすることにより、上記図示しない当接部がこのストッパー１０に当接した際の当接音が生ずることを防止している。
【００４６】
そして、上記第１のワイパー１１は、背面が上記左側板部３ｂに固定された第１の位置決め部材７の正面により位置決めされ、一端面は後述する第３のワイパー１３の一端面（傾斜面）に位置決めされてなるものであり、ゴム（ＮＢＲ：ニトリルブタジエンゴム）又は軟質樹脂により予めＬ字状に成形されたワイパー本体１５と、２つの取付金属板１６，１７とから構成されている。また、この第１のワイパー１１は、上記天板部３ａの裏面の（左側）一部に接合される第１の接合部（符号は省略する。）と、上記左側板部３ｂの内側面に接合される第２の接合部（符号は省略する。）と、上記第１の接合部と第２の接合部との間に形成され、円弧状に成形された第２の保護カバー３の（左）コーナー部３ｆに接合される第３の接合部（符号は省略する。）とから構成されている。この点を更に具体的に説明すると、第１の接合部と第２の接合部とに対応した位置であって、該第１のワイパー１１の内側面には、それぞれ溝部１５ｂ，１５ｃが形成され（図４参照）、上記溝部１５ｂ内には、上記取付金属板１６が収容され、上記溝部１５ｃ内には上記取付金属板１７が収容されている。なお、これらの取付金属板１６，１７には、上記天板部３ａや左側板部３ｂに穿設されたネジ穴３ｉ，３ｊ，３ｐに対応したネジ穴１６ａ，１７ａがそれぞれ形成され、また、上記ワイパー本体１５にも、これらのネジ穴１６ａ，１７ａに対応した位置にネジ穴１５ｄが形成されている。
【００４７】
また、この第１のワイパー１１を構成する上記ワイパー本体１５には、上記第１ないし第３の接合部から正面側に延出されたリップ部１５ａが連続して形成されている。このリップ部１５ａは、この第１のワイパー１１が取り付けられた第２の保護カバー３の内側に配置された第３の保護カバー４（本発明を構成する他の保護カバー）を構成する天板部４ａの上面の（左側の）一部と、左側板部４ｂの外側面と、該天板部４ａと左側板部４ｂとの間に形成された（左側の）円弧状のコーナー部４ｆの外側面に先端側が摺接する部位である。特に、この実施の形態に係る第１のワイパー１１は、予め略Ｌ字状に成形されてなるものであり、上記リップ部１５ａであって上記第３の保護カバー４（本発明を構成する他の保護カバー）を構成する天板部４ａと左側板部４ｂとの間に形成された（外側の）円弧状のコーナー部４ｆの外側面に摺接する部位は、該円弧状のコーナー部４ｆに確実に摺接する形状とされている。また、この第１のワイパー１１を構成する上記ワイパー本体１５の（天板部側）端部には、図４に示すように、傾斜面１５ｅが形成されている。
【００４８】
また、上記第２のワイパー１２は、上記第１のワイパー１１と対称形状に成形されてなるものであり、背面が上記右側板部３ｃに固定された図示しない第２の位置決め部材の正面に当接して位置決めされ、一端面は後述する第３のワイパー１３の他端面（傾斜面）に位置決めされてなるものであり、ゴム（ＮＢＲ：ニトリルブタジエンゴム）又は軟質樹脂により予めＬ字状に成形されたワイパー本体１９と、２つの取付金属板２０，２１とから構成されている。そして、上記ワイパー本体１９は、上記天板部３ａの裏面の（右側）一部に接合される第１の接合部（符号は省略する。）と、上記右側板部３ｃの内側面に接合される第２の接合部（符号は省略する。）と、上記第１の接合部と第２の接合部との間に形成され、円弧状に成形された（第２の）保護カバー３の（右）コーナー部に接合される第３の接合部とから構成されている。この点を更に具体的に説明すると、第１の接合部と第２の接合部とに対応した位置であって、該ワイパー本体１９内側面には、溝部１９ｂ，１９ｃが形成され、上記溝部１９ｂ内には、上記取付金属板２０が収容され、上記溝部１９ｃ内には上記取付金属板２１が収容されている。なお、これらの取付金属板２０，２１には、上記天板部３ａや左側板部３ｂに穿設されたネジ穴３ｎ，３ｏ，３ｒに対応したネジ穴２０ａ（取付金属板２１に形成されたネジ穴は図示しない）がそれぞれ形成され、また、上記ワイパー本体１９にも、これらのネジ穴２０ａに対応した位置にネジ穴１９ｄが形成されている。
【００４９】
また、この第２のワイパー１２を構成する上記ワイパー本体１９には、上記第１ないし第３の接合部から正面側に延出されたリップ部１９ａが連続して形成されている。このリップ部１９ａは、この第１のワイパー１２が取り付けられた第２の保護カバー３の内側に配置された第３の保護カバー４（本発明を構成する他の保護カバー）を構成する天板部４ａの上面の（右側の）一部と、右側板部４ｃの外側面と、該天板部４ａと右側板部４ｂとの間に形成された（右側の）円弧状のコーナー部４ｇの外側面に摺接する部位である。特に、この実施の形態に係る第２のワイパー１２は、予め略Ｌ字状に成形されてなるものであり、上記リップ部１９ａであって上記第３の保護カバー４（本発明を構成する他の保護カバー）を構成する天板部４ａと右側板部４ｃとの間に形成された（外側の）円弧状のコーナー部４ｇの外側面に摺接する部位は、該円弧状のコーナー部４ｇに確実に摺接する形状とされている。また、この第２のワイパー１２を構成する上記ワイパー本体１９の（天板部側）端部には、図３及び図４にそれぞれ示すように、傾斜した傾斜面１９ｅが形成されている。
【００５０】
また、上記第３のワイパー１３は、図３及び図４に示すように、直線状に長さを有してなるものであり、背面が上記第３の位置決め部材９の正面に位置決めされてなるものであり、ゴム（ＮＢＲ：ニトリルブタジエンゴム）又は軟質樹脂により一体成形されたワイパー本体２２と、１つの取付金属板２３とから構成されている。そして、上記ワイパ本体２２は、上記天板部３ａの裏面に接合される接合部（符号は省略する。）と、この接合部から正面側に延出されてなるリップ部２２ａとから構成され、上記接合部の裏面（下面）には、該第３のワイパー１３の長さ方向に溝部２２ｂが形成されており、この溝部２２ｂ内には、上記取付金属板２３が収容されている。この取付金属板２３は、長方形状に成形されてなるとともに、前記天板部３ａの中央に３つ穿設されたネジ穴３ｋ，３ｌ，３ｍに挿通される図示しないネジが螺着される３つのネジ穴２３ｂ（図３参照）が形成されている。また、上記リップ部２２ａは、この第３のワイパー１３が取り付けられた第２の保護カバー３の内側に配置された第３の保護カバー４（本発明を構成する他の保護カバー）を構成する天板部４ａの上面の中央に摺接する部位である。また、この第３のワイパー１３の左右両側面は、傾斜面２２ｅ，２２ｆとされている。これらの傾斜面２２ｅ，２２ｆは、この第３のワイパー１３の長さが、正面側から背面側に亘って徐々に長くなるように傾斜してなるものである。すなわち、この第３のワイパー１３を構成するワイパー本体２２の左側に形成された傾斜面２２ｅの傾斜角度は、上記第１のワイパー１１のワイパー本体１５に形成された傾斜面１５ｅに対応し、これらの傾斜面２２ｅ，１５ｅ同士が当接した状態で上記第２の保護カバー３に取り付けられ、また、この第３のワイパー１３を構成するワイパー本体２２の右側に形成された傾斜面２２ｆの傾斜角度は、上記第２のワイパー１２のワイパー本体１９に形成された傾斜面１９ｅに対応し、これらの傾斜面２２ｅ，１９ｅ同士が当接した状態で上記第２の保護カバー３に取り付けられている。なお、上記第３のワイパー１３を構成するワイパー本体２２には、上記取付金属板２３に形成された３つのネジ穴２３ｂの形成位置と同じ位置に、それぞれネジ穴２２ｇが形成されている（図３参照）。
【００５１】
以下、上述したテレスコピックカバー１を構成する第２の保護カバー３に、上記第１ないし第３のワイパー１１，１２，１３を取り付ける方法を説明する。これら第１ないし第３のワイパー１１，１２，１３を第２の保護カバー３に取り付ける場合には、先ず、上記第３のワイパー１３を取り付ける。この際には、図４に示すように、該第３のワイパー１３の背面が上記天板部３ａの裏面に予め固定されている第３の位置決め部材９の正面に当接させ、上記複数の図示しないネジを、上記天板部３ａの上面側から該天板部３ａに穿設された各ネジ穴３ｋ，３ｌ，３ｍにそれぞれ挿通するするとともに、ワイパー本体２２に形成されたネジ穴２２ｆにそれぞれ挿通し、さらに上記取付金属板２３に螺着させる。こうした操作により、上記ワイパー本体２２は天板部３ａと取付金属板２３とにより挟持された状態で固定される。こうした要領で第３のワイパー１３を固定する作業が終了すると、次いで、上記第１のワイパー１１や第２のワイパー１２を取り付ける。この第１のワイパー１１の取付方法は、上記第２の保護カバー３を構成する左側板部３ｂの内側面に固定された第１の位置決め部材７の正面に、該第１のワイパー１１の背面を当接させるとともに、該第１のワイパー１１の端部に形成された傾斜面１５ｅが、上記第３のワイパー１３の一端（右端）に形成された傾斜面２２ｅに当接させることにより位置決めし、次いで、図示しないネジを上記天板部３ａに穿設されたネジ穴３ｉ，３ｊや、上記左側板部３ｂの外側から該左側板部３ｂに穿設されたネジ穴３ｐに挿通するとともに第１のワイパー１１を構成するワイパー本体１５に形成されたネジ穴１５ｄに挿通し、さらに上記取付金属板１６，１７にそれぞれ形成されたネジ穴１６ａやネジ穴１７ａに螺着させる。こうした操作により、上記ワイパー本体１５は天板部３ａ，左側板３ｂと取付金属板１６，１７とにより挟持された状態で固定される。また、上記第２のワイパー１２の取付方法も上記第１の取付方法と同じように、上記第２の保護カバー３を構成する右側板部３ｃの内側面に固定された第２の位置決め部材の正面に、該第２のワイパー１２の背面を当接させるとともに、該ワイパー本体１９の端部に形成された傾斜面１９ｅが、上記第３のワイパー１３の他端（右端）に形成された傾斜面２２ｆに当接させることにより位置決めし、次いで、図示しないネジを上記右側板部３ｃの外側から該右側板部３ｃに穿設された各ネジ穴３ｒに挿通するとともにワイパー本体１９に形成されたネジ穴１９ｄに挿通し、さらに上記取付金属板２１に形成された図示しないネジ穴に螺着させる。また、図示しないネジを上記天板部３ａに穿設された上記ネジ穴３ｎ，３ｏに挿通し、ワイパー本体１９に形成されたネジ穴１９ｄに挿通した上で、上記取付金属板２０に形成されたネジ穴２０ａに螺着させる。こうした操作により、上記ワイパー本体１９は天板部３ａと取付金属板２０，２１とにより挟持された状態で固定される。
【００５２】
したがって、上述した実施の形態に係るテレスコピックカバー１では、上記第１ないし第３のワイパー１１，１２，１３はそれぞれ図示しないネジにより着脱自在に固定されていることから、該ネジを螺退させることにより該第２の保護カバー３からそれぞれ取り外すことが可能となる。そして、このテレスコピックカバー１が繰り返して使用されることにより、該第１ないし第３のワイパー１１，１２，１３の何れかが破損した場合には、該破損した特定のワイパー（例えば第１のワイパー１１のみ）を交換することができる。特に、上記第１及び第２のワイパー１１，１２を交換する場合は、その破損した第１及び第２のワイパー１１，１２を取り外し、新たな第１のワイパー１１や第２のワイパー１２を取り付ける場合には、上記第１又は第２の位置決め部材７により位置決めされるとともに、天板部３ａ側の端部は、上記第３のワイパー１３に形成された傾斜面２２ｅ，２２ｆより位置決めされることから、第１ないし第３の保護カバー２，３，４をそれぞれ分解した上で取り付けるなどと言う極めて面倒な交換作業が要求されることなく、単に第１のワイパー１１や第２のワイパー１２のみを交換することができる。
【００５３】
しかも、これら第１及び第２のワイパー１１，１２は、上記第１ないし第３の接合部が形成され、該第３の接合部の形状は、第２の保護カバー３のコーナー部の内側の形状である円弧状に予め成形され、リップ部１５ａ，１９ａは、上記第３の保護カバー４の（外側の）コーナー部４ｆ，４ｇの形状である円弧状に予め形成されていることから、該第１及び第２のワイパー１１，１２が取り付けられた第２の保護カバー３とこれら第１及び第２のワイパー１１，１２との間や、上記第３の保護カバー４の（外側の）コーナー部４ｆ，４ｇと該第１及び第２のワイパー１１，１２のリップ部１５ａ，１９ａと間に隙間が形成されることがない。
【００５４】
なお、上記実施の形態に係るテレスコピックカバー１では、本発明を構成するワイパーが３つに分割されているものを示したが、本発明は、ワイパーが２つに分割されているものであっても良いし、以下に説明するように、５つに分割されているものであっても良い。
【００５５】
図５は、５つに分割された（第１ないし第５の）ワイパー３１・・・３５が上記第２の保護カバー３に取り付けられた例を第２の実施の形態として示すものである。なお、この第２の保護カバー３にも、図６に示すように、先に説明した上記第１ないし第３の位置決め部材７，９が固定されている。そして、上記第１のワイパー３１は、前記第１のワイパー１１と同じように、背面が上記左側板部３ｂに固定された第１の位置決め部材７の正面（の一部）に位置決めされ、一端面は後述する第３のワイパー３５の一端面（傾斜面４６ｅ）に位置決めされてなるものであり、図６又は図７に示すように、ゴム（ＮＢＲ：ニトリルブタジエンゴム）又は軟質樹脂により予めＬ字状に成形されたワイパー本体３６と、２つの取付金属板３７，３８とから構成されている。また、この第１のワイパー３１は、上記天板部３ａの裏面の（左側）一部に取り付けられる第１の取付部（符号は省略する。）と、上記左側板部３ｂの内側面の一部（約半分）に取り付けられる第２の取付部（符号は省略する。）と、上記第１の取付部と第２の取付部との間に形成され、円弧状に成形された（第２の）保護カバー３の（左）コーナー部に取り付けられる第３の取付部（符号は省略する。）とから構成されている。この点をさらに具体的に説明すると、第１の取付部と第２の取付部とに対応した位置であって、該第１のワイパー３１の内側面には、それぞれ溝部３６ｂ，３６ｃが形成され、これらの溝部３６ｂ，３６ｃ内には上記取付金属板３７，３８が収容されている。この取付金属板３７，３８には、上記天板部３ａや左側板部３ｂに穿設された図示しないネジ穴に対応したネジ穴３７ａ，３８ａ（図６参照）がそれぞれ形成され、また、ワイパー本体３６にも、これらのネジ穴３７ａ，３８ａに対応した位置に図示しないネジ穴３６ｄ（図７参照）が形成されている。
【００５６】
また、この第１のワイパー３１を構成する上記ワイパー本体３６には、上記第１ないし第３の取付部から正面側に延出されたリップ部３６ａが連続して形成されている。このリップ部３６ａは、この第１のワイパー３１が取り付けられた第２の保護カバー３の内側に配置された第３の保護カバー４（本発明を構成する他の保護カバー）を構成する天板部４ａの上面の（左側の）一部と、左側板部４ｂの外側面と、該天板部４ａと左側板部４ｂとの間に形成された（左側の）円弧状のコーナー部の外側面に摺接する部位である。特に、この実施の形態に係る第１のワイパー３１は、予め略Ｌ字状に成形されてなるものであり、上記リップ部３６ａであって上記第３の保護カバー４（本発明を構成する他の保護カバー）を構成する天板部４ａと左側板部４ｂとの間に形成された（外側の）円弧状のコーナー部４ｆの外側面に摺接する部位は、該円弧状のコーナー部４ｆに確実に摺接する形状とされている。また、この第１のワイパー３１を構成する上記ワイパー本体３６の両端には、図６及び図７にそれぞれ示すように、傾斜した傾斜面３６ｅ，３６ｆが形成されている（図７参照）。
【００５７】
また、上記第２のワイパー３２は、上記第１のワイパー３１の下側に取り付けられてなるものであり、背面は上記第１の位置決め部材７の正面（の一部）に位置決めされており、図７に示すように、上下方向に長さを有するワイパー本体３９と、１つの取付金属板４０とから構成されている。なお、このワイパー本体３９の上端は、上記傾斜面３６ｆと同じ傾斜角度とされた傾斜面３９ｅが形成され、下端面は該ワイパー本体３９の長さ方向に対して垂直とされている。そして、この第２のワイパー３２には、上記左側板部３ｂの内側面に取り付けられる取付部（符号は省略する。）と、この取付部から正面側に延出されたリップ部３９ａとを備えている。上記取付部には、上記ワイパー本体３９の長さ方向に溝部３９ｂ（図７参照）が形成され、この溝部３９ｂ内には上記取付金属板４０が収容されている。
【００５８】
また、上記第３のワイパー３３は、図７に示すように、上記第１のワイパー３１と対称形状に成形されてなるものであり、背面が上記右側板部３ｃに固定された図示しない第２の位置決め部材の正面の一部に位置決めされ、（天板部３ａ側の）一端面は後述する第５のワイパー３５の他端面（傾斜面４６ｆ）に位置決めされてなるものであり、ゴム（ＮＢＲ：ニトリルブタジエンゴム）又は軟質樹脂により予めＬ字状に成形されたワイパー本体４１と、２つの取付金属板４３とから構成されている。なお、右側板３ｃに固定される取付金属板は図示しない。また、この第３のワイパー３３は、上記天板部３ａの裏面の（右側）一部に取り付けられる第１の取付部（符号は省略する。）と、上記右側板部３ｃの内側面の一部に取り付けられる第２の取付部（符号は省略する。）と、上記第１の取付部と第２の取付部との間に形成され、円弧状に成形された（第２の）保護カバー３の（右）コーナー部３ｇに取り付けられる第３の取付部とから構成されている。この点を更に具体的に説明すると、第１の取付部と第２の取付部とに対応した位置であって、上記第３のワイパー３３の内側面には、図示しない溝部がそれぞれ形成され、これらの溝部内には上記取付金属板が収容されている。そして、これらの取付金属板には、上記天板部３ａや右側板部３ｃに穿設されたネジ穴３ｎ，３ｏ，３ｒに対応した図示しないネジ穴がそれぞれ形成され、また、上記ワイパー本体４１にも、これらのネジ穴に対応した位置にネジ穴４１ｄが形成されている。
【００５９】
また、この第３のワイパー３３を構成する上記ワイパー本体４１には、上記第１ないし第３の取付部から正面側に延出されたリップ部４１ａが連続して形成されている。このリップ部４１ａは、この第３のワイパー３３が取り付けられた第２の保護カバー３の内側に配置された第３の保護カバー４（本発明を構成する他の保護カバー）を構成する天板部４ａの上面の（右側の）一部と、右側板部４ｃの外側面の一部と、該天板部４ａと右側板部４ｂとの間に形成された（右側の）円弧状のコーナー部３ｇの外側面に摺接する部位である。特に、この実施の形態に係る第３のワイパー３３は、予め略Ｌ字状に成形されてなるものであり、上記リップ部４１ａであって上記第３の保護カバー４（本発明を構成する他の保護カバー）を構成する天板部４ａと右側板部４ｃとの間に形成された（外側の）円弧状のコーナー部４ｇの外側面に摺接する部位は、該円弧状のコーナー部４ｇに確実に摺接する形状とされている。また、この第３のワイパー３３を構成する上記ワイパー本体４１の両端には、図７にそれぞれ示すように、傾斜した傾斜面４１ｅ，４１ｆが形成されている。
【００６０】
また、上記第４のワイパー３４は、図５に示すように、上記第３のワイパー３３の下側に取り付けられてなるものであり、背面は上記図示しない第２の位置決め部材の正面（の一部）に位置決めされており、図７に示すように、上下方向に長さを有するワイパー本体４４と、１つの取付金属板４５とから構成されている。なお、このワイパー本体４４の上端は、上記傾斜面４１ｆと同じ傾斜角度とされた傾斜面４４ｅが形成され、下端面は該ワイパー本体３９の長さ方向に対して垂直とされている。そして、上記ワイパー本体４４には、上記右側板部３ｃの内側面に取り付けられる取付部（符号は省略する。）と、この取付部から正面側に延出されたリップ部４４ａとを備えている。上記取付部には、該第４のワイパー３４の長さ方向に溝部４４ｂが形成され、この溝部４４ｂ内には上記取付金属板４５が収容されている。また、上記リップ部４４ａは、上記第３の保護カバー４を構成する右側板部４ｃの外側面に摺接する部位である。なお、上記第５のワイパー３５の構成は、前記テレスコピックカバー１を構成する第３のワイパー１３と同じ構成であり、ワイパー本体４６と、１つの取付金属板４７とから構成され、上記ワイパー本体４６は上記天板部３ａの裏面に取り付けられる取付部（符号は省略する。）と、この取付部から正面側に延出されたリップ部４６ａを備えている。そして、上記取付部の裏面には上記取付金属板４７が収容された溝部４６ｂが形成されている。また、上記ワイパー本体４６の左右両側は、該ワイパー本体４６の長さが背面側から正面側にかけて徐々に短くなるように傾斜した傾斜面４６ｅ，４６ｆが形成されている。上記傾斜面４６ｅは、上記第１のワイパー３１に形成された傾斜面３６ｅに当接する部位であり、上記傾斜面４６ｆは、上記第３のワイパー３３を構成する傾斜面４１ｅに当接する部位である。なお、上記ワイパー本体４６にも、図示しないネジが挿通される３つのネジ穴４６ｄが穿設され、上記取付金属板４７にも、これらのネジ穴４６ｄに対応した位置にネジ穴４７ａ（図６参照）が形成されている。
【００６１】
こうした第２の実施の形態に係るテレスコピックカバーによれば、上述したように、（本発明を構成する特定のワイパーである）第２の保護カバー３には、第１ないし第５のワイパー３１・・・３５に分割されていることから、これら第１ないし第５のワイパー３１・・・３５の何れかが破損した場合、全てを交換することなく破損したワイパーのみを交換することができるとともに、テレスコピックカバー全体を分解することなく、テレスコピックカバーをそのままの状態としたままで破損した特定のワイパーのみを交換することができる。しかも、こうした交換作業は、先に説明したテレスコピックカバー１と同じように、（第２の）ワイパー３には上記第１ないし第３の位置決め部材７，９が固定されていることから、交換する第１ないし第５のワイパー３１・・・３５の何れかをこの（第３の）保護カバー３の正面側から内部側に押し付けることにより位置決めができ、この状態で図示しないネジを螺進することにより交換すべき第１ないし第５のワイパー３１・・・３５の何れかを取付可能であることから、交換作業を極めて簡単かつ迅速に終了することができる。特に、上記第２の実施の形態に係るテレスコピックカバーでは、ワイパー本体３６の下端とワイパー本体３９の上端とにはそれぞれ傾斜面３６ｆ，３９ｅが形成され、これらの傾斜面３６ｆ，３９ｅが接合されてなり、同様に、ワイパー本体４１の下端とワイパー本体４４の上端とにはそれぞれ傾斜面４１ｆ，４４ｅが形成され、これらの傾斜面４１ｆ，４４ｅが接合されてなることから、このテレスコピックカバーの内側に塵埃やクーラント駅等が侵入することを防止できる。
【００６２】
なお、先に説明したテレスコピックカバー１を構成する第１及び第２のワイパー１１，１２や、後に説明したテレスコピックカバーを構成する第１及び第３のワイパー３１，３３は、天板部３ａと（左又は右）側板部３ｂ，３ｃとの間に形成された円弧状のコーナー部３ｆ，３ｇに取り付けられる部位を備えてなるワイパーであり、何れも予め略Ｌ字状に成形されてなるものであるが、本発明を構成する分割されたワイパーの内で、上記天板部３ａと（左又は右）側板部３ｂ，３ｃとの間に形成された円弧状のコーナー部３ｆ，３ｇに取り付けられる部位を備えてなるワイパーは、以下に説明するように、各保護カバー（例えば、上記第２の保護カバー３）に取り付けられる以前の自然状態では直線状の長さを有するものを使用しても良い。換言すれば、先に説明したテレスコピックカバー１を構成する第１及び第２のワイパー１１，１２や、後に説明したテレスコピックカバーを構成する第１及び第３のワイパー３１，３３に代えて、以下に説明するワイパー５１を使用しても良い。
【００６３】
このワイパー５１は、ゴム（ＮＢＲ：ニトリルブタジエンゴム）又は軟質樹脂により、自然状態では直線状の長さを有してなるものであり、先に説明した実施の形態に係るテレスコピックカバー１を構成する第１のワイパー１１と同じように、第２の保護カバー３を構成する天板部３ａの一部から左側板部３ｂに亘って取り付けられるものである。そして、このワイパー５１は、図８に示すように、ワイパー本体５２と、このワイパー本体５２の裏面に収容される図示しない２つの金属取付板とから構成されている。なお、上記２つの金属取付板は、冒頭で説明した実施の形態に係る２つの取付金属板１６，１７と同じ構成であることから説明を省略する。そして、上記ワイパー本体５２は、上記天板部３ａの裏面に上面が接合される第１の接合部５２ｂと、上記左側板部３ｂの内側面に接合される第２の接合部５２ｃと、上記第１の接合部と５２ｂと第２の接合部５２ｃとの間に形成され、上記天板部３ａと左側板部３ｂとの間に形成された円弧状のコーナー部３ｆの内側面に接合される第３の接合部５２ｄとを備えている。
【００６４】
そして、上記ワイパー本体５２の正面には、該ワイパー本体５２の幅方向に延出されたリップ部５２ａが形成されている。このリップ部５２ａは、先に説明した実施の形態に係る第１のワイパー１１に形成されたリップ部１５ａと同じように、上記第２の保護カバー３に取り付けられることにより、先端側が、該ワイパー５２が取り付けられた第２の保護カバー３の内側に配置された第３の保護カバー４（本発明を構成する他の保護カバー）を構成する天板部４ａの上面の（左側の）一部と、左側板部４ｂの外側面と、該天板部４ａと左側板部４ｂとの間に形成された（左側の）円弧状のコーナー部４ｆの外側面に摺接する部位である。このリップ部５２ａに関し、より詳細に説明すると、図１１や図１２に示すように、上記第３の接合部５２ｄ（や第１，第２の接合部５２ｂ，５２ｃ）から、正面側に延出され基端側から先端側にかけて徐々に下方に傾斜してなるものであり、先端の位置は、上記各接合部（５２ｂ，５２ｃ，５２ｄ）の下面位置よりも下方とされている。なお、こうしたリップ部５２ａの形状は、先に説明したテレスコピックカバー１を構成する第１ないし第３のワイパー１１，１２，１３，３１・・・３５に形成されたリップ部１５ａ，１９ａ，２２ａ，３６ａ，３９ａ，４１ａ，４４ａ，４６ａも同様である。
【００６５】
そして、このワイパー５１（ワイパー本体５２）では、上記リップ部５２ａの内で、第３の接合部５２ｄから前方に延出された部位には、第１の薄肉部５２ｅが形成されている。この第１の薄肉部５２ｅは、図１０に示すように、該リップ部５２ａの背面側から正面側に窪んだ状態で形成されてなるものであり、その窪んだ形状は円弧状とされている。一方、上記ワイパー本体５２を構成する上記第３の接合部５２ｄの上面（上記リップ部５２ｅを除いた部位の上面）には、図８及び図９に示すように、第２の薄肉部５２ｆと第３の薄肉部５２ｇとが、該ワイパー本体５２の長さ方向に並んで形成されている。これら第２及び第２の薄肉部５２ｆ，５２ｇは、このワイパー本体５２の上面から裏面側に僅かに（約０．２〜１ｍｍ）窪んだ状態で形成されてなるものである。そして、上記第２の薄肉部５２ｆと第３の薄肉部５２ｇとの間であって、このワイパー本体５２の裏面には、図９及び図１０に示すように、該ワイパー本体５２の幅方向に円弧状の突条部５２ｈが形成されている。すなわち、この突条部５２ｈが形成された部位は、上記第２の薄肉部５２ｆと第３の薄肉部５２ｇ、さらには、このワイパー本体５２の他の部位の肉厚に比べて最も厚い肉厚とされている。そして、この突条部５２ｈが形成された部位からこのワイパー本体５２の正面側に延長された部位に、上記第１の薄肉部５２ｅの中心（リップ部５２ａの肉厚で最も薄い部位）が位置している。なお、上記突条部５２ｈが形成されている部位は、後述するように、このワイパー５１が第２の保護カバー３に取り付けられた際、該第２の保護カバー３を構成する天板部３ａと左側板部３ｂとの間に形成された円弧状のコーナー部３ｆの内側面の中央に位置する部位であり、上記第１の薄肉部５２ｅは、このワイパー５１が取り付けられた第２の保護カバー３の内側に配置された第３の保護カバー４（本発明を構成する他の保護カバー）を構成する天板部４ａと左側板４ｂとの間に形成された円弧状のコーナー部４ｇの外側面に摺接する部位である。
【００６６】
なお、上記ワイパー本体５２の裏面には、図１０に示すように、右端側から中央にかけて一方の溝部５２ｊが形成され、左端から中央にかけて他方の溝部５２ｋが形成されている。これらの溝部５２ｊ，５２ｋは、ワイパー本体５２の裏面の背面側から垂下してなる後方垂下部５２ｌと、該ワイパー本体５２の裏面の正面側から垂下してなる前方垂下部５２ｍと該ワイパー本体５２の裏面とから形成されてなるものであり、さらにこの例に係るワイパー５１では、上記後方垂下部５２ｌは、図１０に示すように、上記第３の接合部５２ｄにおいては切欠き５２ｐが形成されている。そして、上記第１の接合部５２ｂであって上記一方の溝部５２ｊ内には、該第１の接合部５２ｂの長さと略同じ長さに成形された前記取付金属板（冒頭で説明したテレスコピックカバー１を構成する取付金属板１６と同じ部材）が収容され、上記第２の接合部５２ｃであって上記他方の溝部５２ｋ内には、該第２の接合部５２ｃの長さと略同じ長さに成形された前記取付金属板（冒頭で説明したテレスコピックカバー１を構成する取付金属板１７と同じ部材）が収容されている。なお、これらの取付金属板には、図３に示す第２の保護カバー３の天板部３ａに穿設されたネジ穴３ｉ，３ｊ，３ｐにそれぞれ対応した図示しないネジ穴が形成され、同じように、上記ワイパー本体５２にも、上記ネジ穴３ｉ，３ｊ，３ｐに対応したネジ穴５２ｑが形成されている。また、このワイパー本体５２の右端面は、前記第１のワイパー１１と同じように、傾斜面５２ｒとされている。
【００６７】
そして、このように第２の保護カバー３に取り付けられる以前の自然状態では直線状の長さを有してなるワイパー５１が、図１３に示すように、第２の保護カバー３に取り付けられると、図正面側から観察した場合は、冒頭で説明したテレスコピックカバー１を構成する第１のワイパー１１と全く同じように、上記天板部３ａの裏面や左側板部３ｂの内側面、さらには該天板部３ａと左側板３ｂとの間に形成された円弧状のコーナー部３ｆの内側面に隙間がない状態とされ、同時に、リップ部５２ａの先端側も上記第３の保護カバー４を構成する天板部４ａの上面や左側板部４ｂの外側面や該天板部４ａと左側板部４ｂとの間に形成された円弧状のコーナー部４ｆに密着した状態とされる。そして、このように第２の保護カバー３に取り付けられた状態においては、図１４に示すように、上記突条部５２ｈが第２の保護カバー３に形成された円弧状のコーナー部３ｆの内側面の中央に位置してなり、上記第２の薄肉部５２ｆ，５２ｇの上面も上記コーナー部に密着した状態となる。
【００６８】
なお、上記説明では、テレスコピックカバー１を構成する第２の保護カバー３に、先に説明した第１のワイパー１１に代えて上記ワイパー５１を取り付けた例を説明したが、言うまでもなく、この場合においては、第２のワイパー１２に代えて上記ワイパー５１と対称形状に成形された図示しないワイパーも取り付けるものとするとともに、上記第１の保護カバー２にも該ワイパー５１と同じ構造（構成）に係るワイパーを左右両側に取り付けるものとする。また、上記構成に係るワイパー５１は、後に説明したテレスコピックカバーを構成する第１及び第３のワイパー３１，３３に代えても良い。
【００６９】
そして、こうしたワイパー５１が取り付けられたテレスコピックカバー１によれば、先に説明した各ワイパー（符号は省略する。）と同じように、破損したワイパーのみを交換することが可能となるとともに、該破損したワイパーから新たなワイパーに交換する作業も簡単かつ迅速に行うことができる。
【００７０】
特に、最後に説明したワイパー５１を単独で評価すれば、該ワイパー５１を構成するワイパー本体５２は、各保護カバーに取り付けられる以前の自然状態では直線状の長さを有することから、円弧状のコーナー部を介して連続してなる天板部と左側板部との角度がそれぞれ異なる保護カバーであっても単一のワイパー５１を取り付けることが可能となり、先に説明した第１及び第２のワイパー１１，１２や、後に説明した第１及び第３のワイパー３１，３３のように予め略Ｌ字状に成形されたものに比べて極めて汎用性の高いものとなる。
【００７１】
なお、上記各説明では、保護カバーを構成する天板部が平板状に成形されているタイプのテレスコピックカバーを図示して説明したが、本発明を構成する各保護カバーは、こうした形状のものに限定されることはなく、中央に形成された稜線を境に左右傾斜してなり正面形状が略く字状に成形されてなる天板部を備え、したがって、該天板部と左側板部や天板部と右側板とはそれぞれ鈍角をなすものであっても良い。
【図１】
0005495309.tif 000002
【図２】
0005495309.tif 000003
【図３】
0005495309.tif 000004
【図４】
0005495309.tif 000005
【図５】
0005495309.tif 000006
【図６】
0005495309.tif 000007
【図７】
0005495309.tif 000008
【図８】
0005495309.tif 000009
【図９】
0005495309.tif 000010
【図１０】
0005495309.tif 000011
【図１１】
0005495309.tif 000012
【図１２】
0005495309.tif 000013
【図１３】
0005495309.tif 000014
【図１４】
0005495309.tif 000015